(57)【特許請求の範囲】
【請求項１】
走行用履帯のリンク（４）を結合連結するピン（６）の端部に装着して固定する抜け止め用の被装着リング（Ａ）を装着するのに用いる装着治具であって、
前記ピン（６）の端面に当てて位置決めをする当り部（１３ｂ）を有するとともにリング拡開ガイド部（１５）を外周に有して推力が付与される拡張ガイド部材（１３）と、この拡張ガイド部材（１３）に外嵌されるとともに被装着リング（Ａ）を拡張支持して前記ピン（６）の端部に移行させる拡張爪（１７）と、前記拡張爪（１７）に押圧力を付加する弾性体（２５）と、前記拡張爪（１７）により拡張された被装着リング（Ａ）を前記リンク（４）と前記ピン（６）とによって形成される環状の開口内空間に押し込む押し具（２３）とを備えることを特徴とするリング装着治具。
【請求項２】
拡張ガイド部材（１３）のリング拡開ガイド部（１５）は、軸線方向に連続形成される第１円周部（１５ｂ）と第１テーパ状円周部（１５ａ）と第２円周部（１５ｄ）と第２テーパ状円周部（１５ｃ）からなる摺動面を備え、前記第２テーパ状円周部（１５ｃ）と第２円周部（１５ｄ）は第１テーパ状円周部（１５ａ）と第１円周部（１５ｂ）より大きい径にされる一方、前記拡張爪（１７）は、前記リング拡開ガイド部（１５）に対応して、テーパ状円周部（１７ａ）を挟んで第１円周部（１７ｃ）と第２円周部（１７ｂ）が形成され、その第２円周部（１７ｂ）の内径が前記テーパ状円周部（１７ａ）の大径に合わせて形成されている請求項１に記載のリング装着治具。
【請求項３】
前記拡張爪（１７）は、被装着リング（Ａ）を外嵌させて前記ピン（６）の端部まで移行できるように周方向に複数に分割された円筒状のものである請求項１または２に記載のリング装着治具。
【請求項４】
前記弾性体（２５）は、ポーラスウレタンである請求項１に記載のリング装着治具。
【請求項５】
前記弾性体（２５）は、コイルスプリングである請求項１に記載のリング装着治具。
【請求項６】
前記請求項１に記載のリング装着治具が、リンクチェーン（３）の組立ラインの両側に、同一軸線上で相対向して、左右同時に作動されるように配設されることを特徴とするリング装着治具。
【発明の詳細な説明】
【０００１】
【発明の属する技術分野】
本発明は、主として履帯走行式建設機械における履帯のリンク組立時に使用して効果的なリンク連結ピンの抜け止め用リングの装着に使用されるもので、詳しくは建設機械などの履帯を構成するリンクチェーンを順次組み立てる際に、連結部に組み込むため抜け止めリングを合理的に、かつ確実に装着できるようにするリング装着治具に関するものである。
【０００２】
【従来の技術】
油圧ショベルやブルドーザなど建設機械の履帯走行式車両における履帯１は、図６に履帯の一部を表わす斜視図で示されるように、接地用の複数の履板２が無端状にされたリンクチェーン３を形成するリンク４に、取付ボルトによって取付けられて構成されている。このリンクチェーン３は、両端部を外部に突出させた状態で筒状のブッシュ５に圧入されたリンク連結用のピン６を左右のリンク４，４（左右対称の形状にされている）の各端部に順次圧入することにより組み立てられ、各リンク４の端部を互いに離間させた状態で前記ピン６によって関節的に結合されている。そして、各リンク４の端部には、ピン６とブッシュ５との間の内部摩耗を防止するための潤滑油密閉シール部材およびそのつぶれ防止用スペーサが配されて、前記ピン６の内部に溜められた潤滑油がこのピン６と前記ブッシュ５との間に供給できるようになっている。
【０００３】
このような履帯１におけるリンクチェーン２は、使用中にリンク４の連結ピン（以下、単にピンという）６に対してスラスト方向に大きな力が作用する。そのために、ピン６の両端部に抜け止め手段が設けられている。一般に、そのピンの抜け止め手段としては、図示省略するが、ピンの端部に溝を周方向に刻設され、この溝に抜け止めリングを嵌め合わせてピンが抜け出すのを防止するようにされている。その抜け止めリングとしてはスナップリングなど拡縮できる金属弾性材にてなるものが使用されている。
【０００４】
また、履帯のリンクチェーンにおけるピンの抜け止め手段としては、本出願人の先願発明にかかる特願平１１−１８２２６４号によって履帯のリンクおよびピンの固定構造として提案されている。この先願発明では、図７（ａ）および（ｂ）によって表わすリンクチェーンの一部を分解して表わす一部破断分解図およびリンクの連結部におけるピンの固定構造を表わす図で示されるように、リンクチェーン２には、左右のリンク４，4のピン挿入孔７の開口部周辺と前記ピン６の両端部との間に、環状の空間部９を形成し、この環状空間部９に抜け止めリングＡを嵌め込んで前記ピン６がその軸線方向に移動して抜け出すのを防止するようにされている。このようにするために、ピン挿入孔７の開口部周辺には、ピン挿入孔７から外方に向けて次第に拡径してなる内径テーパ面７ａを設けている。そして、前記ピン６には、端部に前記内径テーパ面７ａと相対向するように外径テーパ面６ｂを設けてある。この外径テーパ面６ｂの軸心線に対する傾斜角度は、前記内径テーパ面７ａの傾斜角度よりやや小さくなっており、両テーパ面６ｂ，７ａによって形成される環状空間部９は、外向きにラッパ状に拡開した状態となっている。抜け止めリングＡは、断面円形でその一部を切除した環状の弾性金属材料にてなるものであり、弾性的に拡径、縮径し得るようになっている。
【０００５】
【発明が解決しようとする課題】
このように、従来の履帯１におけるチェーンリンク３の連結用のピン抜け止め手段として用いられる抜け止めリングＡは、弾性金属材で形成されて、ピン端部に設けられる溝もしくは傾斜面を備える凹所に装着するのに、まずピン６の直径より大きく広げて（拡径して）から内方へ押し込む操作が必要になる。このような抜け止めリングを押し込む作業に際しては、前述のスナップリングをピン端部の溝部に嵌め込む場合には、周知のスナップリング装着用として用いられている専用工具としてのリング用プライヤで、リング端の拡開用の孔を使用してリングを広げてピンの係止用の溝に嵌め込んでいる。このようなリングでは、作業者がスナップリングを一つずつ手操作で装着しなければならない。しかも、装着する溝がどうしても余裕のある幅に形成しておかないと抜け止めリングを溝に嵌め込むことが困難で、装着後においてはその余裕分ピンの移動を許容するのみならず、スラスト方向に大きな外力が作用するとリングもしくは溝部が破損してピンが抜け出す危険性がある。
【０００６】
また、後者の抜け止め手段で使用される抜け止めリングは、断面円形でその一部を切除した環状の弾性金属材料にてなるものであるので、これを前者のリング用プライヤと同様な専用工具を用いる方式で拡径しようとすると、その構造上リングが均等に拡径できず切り欠き部が広がるだけであるために、非常に大きな力を加えて操作しなければならず、ピン端に外嵌めするのに実質上２人作業で行うというようなことになって、この操作に１箇所で３分あまりの時間を要する。したがって、多数のリンクを順次連結する作業を行うのに、その組立時間が長くなってコストアップすることが避けられない。また、現状では自動化するのが困難であるという問題点がある。
【０００７】
本発明は、このような状況に鑑みてなされたもので、抜け止めリングを拡径してリンク連結用のピン端部に装着するに際して、そのリングを均等に拡張させてピン端部に外嵌させるとともに、係止位置まで押し込んで装着できる操作を能率よく行えるリング装着治具を提供することを目的とするものである。
【０００８】
【課題を解決するための手段および作用・効果】
前述された目的を達成するために、第１発明によるリング装着治具は、
走行用履帯のリンクを結合連結するピンの端部に装着して固定する抜け止め用の被装着リングを装着するのに用いる装着治具であって、
前記ピンの端面に当てて位置決めをする当り部を有するとともにリング拡開ガイド部を外周に有して推力が付与される拡張ガイド部材と、この拡張ガイド部材に外嵌されるとともに被装着リングを拡張支持して前記ピンの端部に移行させる拡張爪と、前記拡張爪に押圧力を付加する弾性体と、前記拡張爪により拡張された被装着リングを前記リンクと前記ピンとによって形成される環状の開口内空間に押し込む押し具とを備えることを特徴とするものである。
【００１３】
本発明においては、履帯を構成するリンクチェーンの組立工程で、リング装着治具を支持構造体によって軸線をリンクチェーンの組立ラインに直交するようにしてピン連結部の外側に配置させ、その常態にある拡張爪の先端部外周に被装着リング（一箇所を切除されて拡張可能にされている弾性金属材製のもの）を外嵌させて後、組み立てられているチェーンリンクの連結されたピンの端部に向けてリング装着治具を推進手段によって前進させる。拡張ガイド部材の先端を前記ピンの端部に当接させると、予め形成されているピン端部中央の凹所にその拡張ガイド部材の先端部が合致してピンと拡張ガイド部材（リング装着治具）の軸心が合致する。そこで、推進手段によってリング装着治具を推し進めると、ピン端部に当接する拡張ガイド部材は静止しているのに対し、そのリング拡張ガイド部の外側に位置する拡張爪が内設されている弾性体に加えられる押圧力で前方へ押し出されると同時に、リング拡張ガイド部によって半径方向に拡開される。
【００１４】
この拡張爪の拡開によって外嵌されている被装着リングは、拡張され、拡張爪がピン端面に接触するまで前進して停止するとその内径が少なくとも対向するピンの外径よりやや大きい寸法に拡張される。その後に押し具が推進されて、その先端で拡張爪上にある被装着リングを押すことにより、ピン端部上に被装着リングが移行され、そのまま所要ストローク前進させることによって、ピン端部とリンクのピン挿入孔開口部とで形成される環状の空間内に被装着リングが押し込まれる。その環状空間部分ではピン側に開口側に向かって上がり勾配にされた溝部が設けられているので、押し込まれる被装着リングはその溝部に進入すると拡張状態から開放されて縮径し、リンク側のピン挿入孔内周面とピン側の傾斜溝面とに当接して装着固定させることができる。なお、リングをピン端部所定位置に装着後リング装着治具を後退させると、内蔵される弾性体の復元力で押し具ならびに拡張爪が押し戻されて次に操作に対応させることができる。
【００１５】
本発明によれば、被装着リングの拡張と拡張させた後に、押し具によってピン端部に移すとともに所定位置まで押し込む操作を一連の動作にて行えるようにされているので、一部を切除してなる弾性金属材で形成された抜け止め用リングを、チェーンのリンクのピン挿入孔内でピンの端部に装着するのに、その内径側から拡張保持させてからピンの端部外周に押し当てて後、押し具によって所要位置まで押し込むという、二段階の操作で装着することにより、無理なく簡単確実に装着することができる。したがって、作業効率を高めて作業性を向上させることができる。そして、この発明によるリング装着治具は、少ない部品を組合せた簡単な構成で所期の目的を達成でき、廉価に提供できて設備費の低減を図ることができる。
【００１６】
第１発明において、拡張ガイド部材のリング拡開ガイド部は、軸線方向に連続形成される第１円周部と第１テーパ状円周部と第２円周部と第２テーパ状円周部からなる摺動面を備え、前記第２テーパ状円周部と第２円周部は第１テーパ状円周部と第１円周部より大きい径にされる一方、前記拡張爪は、前記リング拡開ガイド部に対応して、テーパ状円周部を挟んで第１円周部と第２円周部が形成され、その第２円周部の内径が前記テーパ状円周部の大径に合わせて形成されているのが好ましい（第２発明）。こうすることにより、第１テーパ状円周部によって被装着リングの拡張操作を行わせ、第２テーパ状円周部と第２円周部によって拡張させた被装着リングを、押し具によるピン端部への移行操作を確実に行えるようにできるという効果がある。
【００１７】
前記第１発明または第２発明において、前記拡張爪は、被装着リングを外嵌させて前記ピンの端部まで移行できるように周方向に複数に分割された円筒状のものであるのがよい（第３発明）。こうすることで、弾性金属材で形成される抜け止め用のリングを、その内径側からほぼ均等に拡張させることができ、ピン端部に嵌める操作をより確実にすることができる。また、前記弾性体は、ポーラスウレタンである（第４発明）のがよい。あるいは、コイルスプリングであるのがよい（第５発明）。こうすると、全体構造を小型化することができるという利点がある。
【００１８】
第６発明としては、前記第１発明によるリング装着治具をリンクチェーンの組立ラインの両側に、同一軸線上に相対向して、左右同時に作動されるように配設したものである。こうすると、リンク連結のピン両端部で同時に被装着リングをそれぞれに装着でき、ピンに作用する推力を相殺して安定状態で抜け止め用のリングの装着が行えることになり、合理的に作業ができるという利点がある。
【００１９】
【発明の実施の形態】
次に、本発明によるリング装着治具の具体的な実施の形態につき、図面を参照しつつ説明する。
【００２０】
図１に本発明の一実施形態に係るリング装着治具を表わす縦断面図（ａ）と、リング拡張ガイド部の詳細（ｂ）が、示されている。
【００２１】
本実施の形態のリング装着治具１０は、所要直径の支持軸１２を前面に突き出して図示されない支持構造体に取付けられる取付座板１１ａを備える支持部材１１と、この支持部材１１の支持軸１２に摺動自在に支持されて外周をリング拡開ガイド部１５とするとともに前面に位置決め部７を設けられた拡張ガイド部材１３と、この拡張ガイド部材１３の外周に被嵌して拡縮する拡張爪１７と、前記支持部材１１の取付座板１１ａ外周と基端を嵌合して同軸心で支持され前記拡張爪１７の外側に位置する筒状の押し具２３、およびその押し具２３の内部で前記支持部材１１の取付座板１１ａ前側に形成される円筒状の空間部２７に内蔵される推進用の弾性体２５とによって構成されている。
【００２２】
前記拡張ガイド部材１３は、その中心部に前記支持部材１１の支持軸１２と摺動自在な有底支持孔１３ａが後端部から軸線方向に設けられ、その前端面の中央に、リンクを連結するピン６の端面中央に設けられている孔端部凹所６ａと係合して位置決めする位置決め突起１４が形成されている。そして、外周にはリング拡開ガイド部１５として、第１テーパ状円周部１５ａと第１円周部１５ｂおよび第２テーパ状円周部１５ｃと第２円周部１５ｄとが、第１テーパ状円周部１５ａより第２テーパ状円周部１５ｃが大きい径にされて軸線方向に連続形成されている。なお、前記第２テーパ状円周部１５ｃの最大直径は後述する拡張爪１７が最終拡張状態となるときにその拡張爪１７の外周が連結するピン６の外径と同一もしくはやや大きい径となる寸法とされている。
【００２３】
このような前記拡張ガイド部材１３は、その軸芯に設けられたねじ孔１６に前記支持部材１１の軸芯に支持軸１２を貫通する段付きの支持孔１２ａに挿通される支持ボルト１８の先端部をねじ込んで、前記有底支持孔１３ａを支持軸１２と嵌め合わせて摺動自在・外脱不能に接続されるとともに、その支持ボルト１８のシャンクに外嵌して一端を支持軸１２端部の段孔１２ｂに接して他端を有底支持孔１３ａ端に当接するコイルバネ１９により常時外向きに押し出されるように設けられている。なお、この拡張ガイド部材１３は、前記支持ボルト１８の頭部１８ａが支持部材１１の支持孔１２ａの段部に当接することで抜け出しを防止され、かつその位置が中立位置となっている。
【００２４】
拡張爪１７は、所要長さの円筒状で周方向に３等分（これに限定されることはない）されている。そして、外周には中間部で周方向の溝１７ｅが形成され、この溝部１７ｅにコイルバネを無端状にされたリング２０が嵌められて分解するのを防止するようにされており、外周先端部に僅かにくぼみが生じる程度の被装着リングの保持部２１が周面に形成されている。そして、この拡張爪１７の内周には、前記拡張ガイド部材１３の外面に形成されているリング拡開ガイド部１５に対応して、テーパ状円周部１７ａを挟んで前後に第２円周部１７ｂおよび第１円周部１７ｃが形成され、第２円周部１７ｂの内径が前記テーパ状円周部１７ａの大径に合わせて形成されている。
【００２５】
前記押し具２３は、前記拡張ガイド部材１３とその外周に外嵌する拡張爪１７との組合せ構造部の外側に位置して、内径がピン６の外径よりもやや大きい寸法の筒状体で、基端部２３ａを前記支持部材１１の取付座板１１ａの外周に嵌合して同軸心に合致して支持される段部２３ｂが設けられている。そして先端外周部には傾斜を付してリング押し込みの際リンク４のピン挿入孔内壁に接触しないようにされている。
【００２６】
このような押し具２３の内部に設けられる弾性体２５は、前記支持部材１１の取付座板１１ａ前面と前記拡張爪１７の後端部との間の空間２７に配置され、ポーラスウレタンにより円筒状に成形されたものである。なお、この弾性体２５の基端側は、支持軸１２に外嵌するようにして受圧面積を広くされ、先端側を拡張ガイド部材１３と接触しないように細められて拡張爪１７の後端面とスペーサリング２８を介して常時接触するようにされている。なお、この弾性体２５は、必要に応じてコイルスプリングを使用することができる。また、より強力な押圧力を必要とするときには、皿バネを組合せて用いることもできる。
【００２７】
このようなリング装着治具１０によってピン６の端部に装着する抜け止め用のリングＡとしては、一般に図２に示されるような断面円形の弾性金属材を環状に形成して、その一部に切除部ａを設けたものが使用される。そして、その縮径がピン端部に形成される係止溝部に嵌って固定するときの寸法とされるのがよい。また、この抜け止め用のリングＡとしては、前記丸形のほかに、図５（ａ）で示すように、角型断面のものＡ'、あるいは図５（ｂ）で示すように、菱形もしくはそれに類するような断面形状のものＡ"であってもよい。
【００２８】
このように構成されるリング装着治具１０を用いて抜け止め用のリングＡをリンクチェーンとピンとの結合部に装着するには、図示省略するリンクチェーンの組立ラインの側部において、軸線をその組立ラインに直交するようにして配置される。この際、図３に示されるように、組立ラインの両側にてリング装着治具１０，１０をその軸線が同一線上に位置するように相対向して支持部材１１の後端を支持体３０，３０′に取付けて、推進駆動手段（図示せず）によって所定量進退自在に配置されるのが好ましい。この図に示す実施の形態は、組み立てるリンクチェーン３の一方の連結ピン位置ではピン６に対する抜け止め用のリング装着を、もう一方では次のリンクの組立を、それぞれ同時に行えるようにしたものが示されている。ただし、この実施の形態においてはリングＡの装着に重点をおいて説明する。なお、前記リング装着治具１０を取付けて支持する支持体のうち一方の支持体３０′は調心機能を備えてピン６との軸心を合わせるようなものが使用される。
【００２９】
組立ラインにおいて先の工程でブッシュ５にピン６を嵌合させて、そのブッシュ５の両端にて露出する連結のピン６端部に左右の各リンク４，４の一端部におけるピン挿入孔７を嵌めて組合わせる。このようにされたリンク４とピン６の組立部にては、図７（ａ）に示されるように、ピン６の端部側においてその周面に形成されている先端に向かって上がり勾配となる傾斜面を有する溝部（６ｂ）と、リンク４のピン挿入孔７の開口部に向かって広がる環状傾斜面（７ａ）とが組み立てられることにより、図７（ｂ）にて表されるように開口部に向かってラッパ状に形成される環状空間部９が形成されている。
【００３０】
このように組立てられるリンクチェーンのピン端部に対するリングの装着要領を図４（ａ）〜（ｄ）によって示し、これらの図によって説明する。まず、図４（ａ）で示すように、装着するリングＡをリング装着治具１０の拡張爪１７先端の保持部２１に外嵌して保持させる。この時点で、拡張爪１７は、図４（ａ'）で示すように閉じており、リングＡは簡単に拡張爪１７の先端部に外嵌めすることができる。リングＡを保持させたならば、別途推進駆動手段（好ましくは直線作動気孔、例えば油圧シリンダ）によってリング装着治具１０を前進させる。すると、まず先端に位置する拡張ガイド部材１３の前端面（当り部）１３ｂがピン６端部の端面に当接する。
【００３１】
この状態でさらに前進すると、図４（ｂ）で示されるように、拡張ガイド部材１３はその前進を阻止されるので推進力が拡張爪１７に弾性体２５を介して加えられる。すると、その拡張爪１７は、静止状態にある拡張ガイド部材１３のリング拡開ガイド部１５での接触面同士の接触から推進力によってスライドし、そのリング拡開ガイド部１５における第２のテーパ状円周部１５ｃによって拡張爪１７の内周面の第２円周部１７ｂ先端縁が半径方向に押し広げられると同時に、テーパ状円周部１７ａがリング拡開ガイド部１５の第１テーパ状円周部１５ａによって積極的に半径方向に拡張される。この際、リングＡはその内周部を拡張ガイド部材１３と拡張爪１７によって全周にわたり押し広げられてほぼ均等な作用力で拡張される。この時点で、リングＡは内径の初期値φｄがφｄ'の状態に拡張される。
【００３２】
やがて、拡張爪１７の第２円周面１７ｂがリング拡開ガイド部１５の最大径の位置まで推進されて拡張されると、図４（ｃ）にて示されるように、その拡張爪１７の先端がピン６の端面に当接して前進を阻止される。この状態に達すると、拡張爪１７は、拡張ガイド部材１３の最大外径部１３ｄとリング拡開ガイド部１５の第２の円周部１５ｄに第２内周面１７ｂおよび第１円周面１７ｃが乗り上げられて停止するので、その先端部にて保持されているリングＡが、さらに拡径されてその内径がφＤとなり、ピン６の外径よりやや大きい径に拡張される。したがって、リングＡは最大に拡張された状態で保持されて、その切除部ａ図４（ｃ'）で示されるように、大きく押し広げられている。
【００３３】
このようにしてリングＡが拡張（拡径）されると、この時点では拡張爪１７はその内周の大きい径の円周面１７ｂともう一方の円周面１７ｃとが、いずれもリング拡開ガイド部１５の第１および第２の円周部１５ｂ，１５ｄに位置して、この拡開状態を維持する。通常直線的なテーパ面であると、推進力をプラス側で保持しないで拡張されたリングの反力で縮径方向に作用して縮径しやすくなるところを、前述のように一旦保持できる機能を取り入れたことにより、簡単に縮径することがなく安全に保たれる。
【００３４】
続いて推進力が加えられると、拡張ガイド部材１３ならびに拡張爪１７がいずれもピン端面に当接して停止状態を保つので、更なる推進力の付加によって押し具２３のみが前進する。すると、その押し具２３の先端が拡張されて拡張爪１７の先端外周にて保持されているリングＡに押し当てられ、そのままピンの端部外周上にスライドされて移行する。そして、所定の位置まで押し具２３によってそのリングＡが押されると、図４（ｄ）によって示されるように、ピン端部上を移動したリングＡは、ピン６とリンク４のピン挿入孔開口部とによって形成される環状の空間部に到達し、その空間部に移行すると、その部分はピン６の外径よりも小さくなっているので、その弾性復元力で直ちに縮径して、傾斜面に沿って自動的に内部に移動され、ピン６側の傾斜面とリンク４側の傾斜内面とに接触して移動を阻止される位置まで進入すると、リングＡは復元縮径作用でピン６の傾斜面とリンク４側の傾斜面に対して楔状に契合して強力に装着固定されることになる。
【００３５】
これら一連の動作は連続して行われ、リングＡが途中で系外に飛び出すようなこともなく、また内径側から徐々に拡張されてピン端部に移され、かつ係止位置に送り込まれるので、速やかに装着することができるのである。
【００３６】
なお、この一連の動作を行う過程で、拡張ガイド部材１３には有底支持孔１３ａと支持軸１２との間に介在させたコイルバネ１９の圧縮反力（蓄勢力）によって、ピン端に当接して位置決め突起１４とピン６側凹所６ａとの契合により位置ずれを生じさせることなく確実に装着操作が行えるのである。そして、装着が終わり推進駆動手段による推進力が除かれると、この間空間部２７内で圧縮されていた弾性体２５の復元力によって速やかに押し具２３が、コイルバネ１９の復元力で拡張ガイド部材１３が押し戻され、拡張爪１７も原状に復帰するので、リング装着治具１０を後退させて次の装着準備を行えばよい。
【００３７】
このように本実施の形態によるリング装着方法によれば、リンクチェーンの組立工程においてピン抜け止め用のリングを簡単確実に装着することができるのである。したがって、従来人手によって行われていたピンの抜け止め処理作業を前記要領でロボットを用いて行わせるようにすれば、自動化することが可能になる。ただし、必要に応じて推力付勢手段と組合せて個々に装着操作を行うことができ、例えば履帯のメンテナンスに際して採用する場合に便利である。
【００３８】
また、上記の説明においては、丸形断面のリングＡを取扱う場合について記載したが、このほかに、図５（ａ），（ｂ）によって示されるような角型断面や菱形断面のリングＡ′，Ａ″など丸以外の断面形状をしたリングを用いて装着することも可能である。さらに、図示省略するが、ピンの端部に環状溝を設けてこの溝にリングを嵌めて抜け止めとする場合であっても、前記の要領でリングを装着することが可能である。
【図面の簡単な説明】
【図１】  図１は、本発明の一実施形態に係るリング装着治具を表わす縦断面図（ａ）およびリング拡張ガイド部の詳細図（ｂ）である。
【図２】  図２は、使用される抜け止め用のリングの一例を示す斜視図である。
【図３】  図３は、リング装着治具の配置態様を表わす図である。
【図４】  図４は、リングの装着要領を表わす説明図（ａ）〜（ｄ）、および各段階での拡張爪とリングの拡張状態を表わす図（ａ'）〜（ｄ'）である。
【図５】  図５（ａ）（ｂ）は、抜け止め用リングの他の実施形態を表わす断面図である。
【図６】  図６は、履帯の一部を表わす斜視図である。
【図７】  図７は、リンクチェーンの一部を分解して表わす一部破断分解図（ａ）およびリンクの連結部におけるピンの固定構造を表わす図（ｂ）である。
【符号の説明】
１              履帯
３              リンクチェーン
４              チェーンのリンク
５              ブッシュ
６              連結用のピン
１０            リング装着治具
１１ａ          取付座板
１２            支持軸
１３            拡張ガイド部材
１３ａ          有底支持孔
１３ｂ          拡張ガイド部材の前端面
１４            位置決め突起
１５            リング拡開ガイド部
１５ａ          第１テーパ状円周部
１５ｂ          第１円周部
１５ｄ          第２円周部
１５ｃ          第２テーパ状円周部
１７            拡張爪
１８            支持ボルト
１９            コイルバネ
２１            リングの保持部
２３            押し具
２５            弾性体
２７            空間
２８            スペーサ
３０，３０'    支持体
Ａ              抜け止め用のリング
【図１】
0004301737.tif 000002
【図２】
0004301737.tif 000003
【図３】
0004301737.tif 000004
【図４】
0004301737.tif 000005
【図５】
0004301737.tif 000006
【図６】
0004301737.tif 000007
【図７】
0004301737.tif 000008